(57)【要約】【課題】  天然杉の特長である湿度の調整作用や木の香りの発散作用等を十分に得るとともに、結露やカビの発生を回避する。また、十分な断熱効果及び遮音効果を得るとともに、施工の容易化，作業工数及び施工コストの低減、更には荷重に対する十分な強度を容易に確保する。【解決手段】  下方に位置する土台（下方に位置する梁を含む）２と上方に位置する梁３の間に壁Ｗを施工するに際し、土台２と梁３の間であって、壁Ｗを構成する外装面４の内方に、天然杉を使用し、かつ厚さＬｔを略２〜４〔ｃｍ〕に選定した厚質板材Ｂ…による中核壁面Ｗｍを施工する。また、野地板６ｕ…，６ｄ…と垂木７…により屋根Ｒを施工するに際し、垂木７…の上面に、上側野地板６ｕ…を施工するとともに、垂木７…の下面に、天然杉を使用し、かつ厚さＬｔを略２〜４〔ｃｍ〕に選定した厚質板材Ｂ…による下側野地板６ｄ…を施工する。【選択図】  図１
2005083164.tif 000002
【特許請求の範囲】
【請求項１】
下方に位置する土台（下方に位置する梁を含む）と上方に位置する梁の間に壁を施工する住宅建築工法において、前記土台と前記梁の間であって、前記壁を構成する外装面の内方に、天然杉を使用し、かつ厚さを略２〜４〔ｃｍ〕に選定した厚質板材による中核壁面を施工することを特徴とする住宅建築工法。
【請求項２】
前記土台と前記梁の相対向する面に設けた嵌合溝に、前記厚質板材を差込むことにより当該厚質板材を支持するとともに、前記土台と前記梁間に設けた間柱により前記厚質板材を支持することを特徴とする請求項１記載の住宅建築工法。
【請求項３】
前記外装面と前記中核壁面間に、外気が流通する外側通気路を設けることを特徴とする請求項１記載の住宅建築工法。
【請求項４】
前記中核壁面の内側に内装面を施工し、この内装面と前記中核壁面間に、室内空気が流通する内側通気路を設けることを特徴とする請求項１記載の住宅建築工法。
【請求項５】
野地板と垂木により屋根を施工する住宅建築工法において、前記垂木の上面に、上側野地板を施工するとともに、前記垂木の下面に、天然杉を使用し、かつ厚さを略２〜４〔ｃｍ〕に選定した厚質板材による下側野地板を施工することを特徴とする住宅建築工法。
【請求項６】
前記上側野地板と前記下側野地板間には、外気が流通する上側通気路を設けることを特徴とする請求項５記載の住宅建築工法。
【発明の詳細な説明】
【技術分野】
【０００１】
本発明は、下方に位置する土台と上方に位置する梁の間等に壁を施工したり、野地板と垂木により屋根を施工する際に用いて好適な住宅建築工法に関する。
【背景技術】
【０００２】
従来、木造住宅を建造する際に用いる建築工法の一つとして、軸組工法が広く知られている。この軸組工法は、例えば、特開２００２−３２２７３８号公報等で開示されるように、土台，柱，梁，筋交い等を用いて木造住宅の骨組を建造し、この骨組に対して、内側から内装材（内装面）を施工するとともに、外側から外装材（外装面）を施工し、また、内装面と外装面間には、断熱材等を充填することにより断熱性及び遮音性等を確保している。
【特許文献１】特開２００２−３２２７３８号
【発明の開示】
【発明が解決しようとする課題】
【０００３】
しかし、上述した従来の住宅建築工法は、次のような問題点があった。
【０００４】
第一に、木造住宅ではあるが木材は主に骨組に使用するため、天然木材の利点、例えば、湿度の調整作用や木の香りの発散作用等を十分に得ることができないとともに、結露やカビが発生しやすい。
【０００５】
第二に、断熱材には主に発泡樹脂等の非天然材料を使用するとともに、施工には合成接着剤等を多用するため、シックハウス症候群等の原因になる有害な化学物質が浮遊しやすい。
【０００６】
第三に、柱や筋交い等の骨組部材を多く用いるため、施工に時間がかかり、作業工数及び施工コストの面で不利になるとともに、荷重に対して十分な強度を確保しにくい。
【０００７】
本発明は、このような背景技術に存在する課題を解決した住宅建築工法の提供を目的とするものである。
【課題を解決するための手段】
【０００８】
本発明に係る住宅建築工法は、上述した課題を解決するため、下方に位置する土台（下方に位置する梁を含む）２と上方に位置する梁３の間に壁Ｗを施工するに際し、土台２と梁３の間であって、壁Ｗを構成する外装面４の内方に、天然杉を使用し、かつ厚さＬｔを略２〜４〔ｃｍ〕に選定した厚質板材Ｂ…による中核壁面Ｗｍを施工するようにしたことを特徴とする。
【０００９】
また、本発明に係る住宅建築工法は、野地板６ｕ…，６ｄ…と垂木７…により屋根Ｒを施工するに際し、垂木７…の上面に、上側野地板６ｕ…を施工するとともに、垂木７…の下面に、天然杉を使用し、かつ厚さＬｔを略２〜４〔ｃｍ〕に選定した厚質板材Ｂ…による下側野地板６ｄ…を施工するようにしたことを特徴とする。
【発明の効果】
【００１０】
このような手法を用いた本発明に係る住宅建築工法によれば、次のような顕著な効果を奏する。
【００１１】
（１）  天然木材の特長である湿度の調整作用や木の香りの発散作用等を十分に得ることができるとともに、結露やカビの発生を回避できる。特に、天然杉は、他の木材に比べ木繊維が粗いため、厚さＬｔが略２〜４〔ｃｍ〕となる比較的厚手に選定し、住宅の壁Ｗや屋根Ｒに用いることにより、天然杉の内部に形成される粗い空気層によって効果的な湿度調整作用が発揮される。
【００１２】
（２）  天然杉の内部に形成される十分な空気層により、発泡樹脂等の断熱材を用いなくても十分な断熱効果及び遮音効果を得ることができる。
【００１３】
（３）  筋交い等の骨組部材が不要となり、施工の容易化，作業工数及び施工コストの低減、更には荷重に対する十分な強度を容易に確保できる。
【発明を実施するための最良の形態】
【００１４】
本発明に係る住宅建築工法によれば、最良の形態により、土台２と梁３の相対向する面に設けた嵌合溝２ｓ，３ｓに厚質板材Ｂ…を差込むことにより当該厚質板材Ｂ…を支持するとともに、土台２と梁３間に設けた間柱１１…により厚質板材Ｂ…を支持する。これにより、合成接着剤等を用いることなく施工可能になり、シックハウス症候群等の原因になる有害な化学物質の浮遊を回避できる。また、外装面４と中核壁面Ｗｍ間には、外気Ａｏが流通する外側通気路１２を設けるとともに、中核壁面Ｗｍの内側に内装面１３を施工し、この内装面１３と中核壁面Ｗｍ間に、室内空気Ａｉが流通する内側通気路１４を設け、さらに、上側野地板６ｕ…と下側野地板６ｄ…間には、外気Ａｏが流通する上側通気路１５を設ける。これにより、結露やカビの発生をより効果的に回避できる。
【実施例】
【００１５】
次に、本発明に係る好適な実施例を挙げ、図面に基づき詳細に説明する。
【００１６】
まず、本実施例に係る住宅建築工法に用いる主要材料について、図４を参照して説明する。
【００１７】
図４中、Ｂ…は厚質板材を示す。厚質板材Ｂ…は、厚さＬｔを３０〔ｍｍ〕に選定した天然杉を用いる。なお、縦横の寸法は、例えば、２２０×９１０〔ｍｍ〕など、任意に選定できる。また、厚質板材Ｂ…は、一対の長端辺の双方に段差部Ｂｓ，Ｂｓを形成したものと一方に段差部Ｂｓを形成したものの二種類を用意する。これにより、段差部Ｂｓを長端辺の一方に形成したものは最上部と最下部或いは右端部と左端部に使用し、段差部Ｂｓ，Ｂｓを長端辺の双方に形成したものは中間部に使用する。この場合、長端辺の双方に形成する段差部Ｂｓ，Ｂｓは、それぞれ向きが反対となり、かつ突き合わせた際には相嵌合する形状に形成する。
【００１８】
２は、土台であり、端面における縦横の寸法は、１０５×１２０〔ｍｍ〕に選定する。この場合、土台２は、栗ノ木材，桧葉材等の硬木を用いることが望ましいが、必要により任意の木材を用いることができる。また、この土台２における１２０〔ｍｍ〕幅の面の中央位置には、長手方向に沿った嵌合溝２ｓを形成する。この嵌合溝２ｓの端面における縦横の寸法は、１２×３０〔ｍｍ〕に選定する。これにより、この嵌合溝２ｓには、上述した厚質板材Ｂの長端辺を差し込むことができる。なお、土台２は、上階に用いれば、下方に位置する梁として使用できるとともに、上下を反対に用いれば、図１に示すように、上方に位置する梁３として使用できる。なお、３ｓは、梁３として使用した場合の嵌合溝である。
【００１９】
１１は、間柱であり、端面の寸法は、４５×３０〔ｍｍ〕に選定する。また、２１は、横仕切材であり、端面の寸法は、４５×４５〔ｍｍ〕に選定する。この場合、間柱１１及び横仕切材２１には天然杉を用いることが望ましいが、必ずしも天然杉であることを要しない。
【００２０】
次に、本実施例に係る住宅建築工法による壁Ｗの施工方法について、図１〜図４を参照して説明する。
【００２１】
図１中、Ｍは基礎を示し、この基礎Ｍの上面には、嵌合溝２ｓ…を上向きにした土台２…を設置する。また、通柱２２…を介して上方に梁３…を支持する。なお、梁３…の嵌合溝３ｓ…は下向きとなり、この嵌合溝３ｓ…と嵌合溝２ｓ…は相対向する。さらに、土台２…と梁３…間には、複数の間柱１１…を介設する。この際、各間柱１１…の間には、土台２…の上に固定した所定長さの横仕切材２１…を介在させる。これにより、各間柱１１…は、所定間隔おきに配される。なお、各間柱１１…は、嵌合溝２ｓ…の隣であって、その外方に配するとともに、各横仕切材２１…は、嵌合溝２ｓ…の隣であって、その外方及び内方の双方に配する。
【００２２】
一方、土台２…の嵌合溝２ｓ…には、最下部に位置する厚質板材Ｂ…、即ち、段差部Ｂｓ…を形成していない長端辺を有する厚質板材Ｂ…を差し込むとともに、厚質板材Ｂ…の外面を各間柱１１…及び各横仕切材２１…に固定する。この後、一対の長端辺の双方に段差部Ｂｓ…，Ｂｓ…を形成した厚質板材Ｂ…を、順次上方へ組付けていく。この際、上下で突き合う段差部Ｂｓ…とＢｓ…同士は相嵌合させる。そして、最上部に位置する厚質板材Ｂ…、即ち、段差部Ｂｓ…を形成していない長端辺を有する厚質板材Ｂ…を、梁３…の嵌合溝３ｓ…に差し込む。この場合、各厚質板材Ｂ…と各間柱１１…は、合成接着剤等を使用することなく釘等により固定する。
【００２３】
これにより、土台２…と梁３…間における全面空間を仕切る図１に示す中核壁面Ｗｍが建造される。なお、各厚質板材Ｂ…同士は、段差部Ｂｓ…とＢｓ…が相嵌合するため、各厚質板材Ｂ…間には隙間が生じないとともに、中核壁面Ｗｍにおける全体の平面性も高められる。
【００２４】
他方、図２及び図３に示すように、中核壁面Ｗｍの外方に位置する各間柱１１…及び各横仕切材２１…には、防湿シート２３を付設することにより、中核壁面Ｗｍに対して外方の全面を覆う。この場合、図３に示すように、間柱１１…の位置に一致させた縦仕切材２４…を防湿シート２３の外側に配することにより、各縦仕切材２４…と各間柱１１…間に防湿シート２３を挟み、釘等により固定する。さらに、縦仕切材２４…に対して外装材２５…を付設することにより、外装面４を構成する。なお、図２中、２６…は、縦仕切材２４…に固定した水切を示す。
【００２５】
このような構成により、外装面４と防湿シート２３間には、外側通気路１２が形成され、外気Ａｏ…は、図２に点線矢印で示した経路により流通する。なお、寒冷地においては、必要により中核壁面Ｗｍと防湿シート２３間に、断熱材を収容することもできる。
【００２６】
以上により壁Ｗの基本的な施工は終了する。これにより、中核壁面Ｗｍの内面側（室内側）は、厚質板材Ｂ…の内面となる天然杉の木目が現れるため、そのまま内装面とすることができる。また、実施例のように、必要により内装材３１を付した内装面１３を設けることもできる。内装面１３を設ける際には、土台２と梁３間であって、嵌合溝２ｓ，３ｓよりも内方に、内側間柱３２…を介設するとともに、内側間柱３２…に対して交差するように横枠材３３…を架設する。そして、この内側間柱３２…と横枠材３３…を利用して内装材３１を付設する。さらに、内装材３１の下部側と上部側には、それぞれ通気孔部３５ｄと３５ｕを設け、これにより、内装面１３と中核壁面Ｗｍ間に、内側通気路１４を形成する。したがって、室内空気Ａｉ…は、図２に点線矢印で示した経路により流通する。
【００２７】
よって、このような壁Ｗを施行することにより、天然杉の特長である湿度の調整作用や木の香りの発散作用等を十分に得ることができるとともに、結露やカビの発生を回避できる。特に、天然杉は、前述したように、他の木材に比べ木繊維が粗いため、厚さＬｔを３０〔ｍｍ〕となる比較的厚手に選定すれば、天然杉の内部に形成される粗い空気層は、湿度の高い湿った日には水分を吸収し、湿度の低い乾燥した日には水分を放出するため、十分な湿度調整効果を得れる。具体的には、６畳２面壁面により略５〔リットル〕程度の水分が吸収される。また、天然杉の内部に形成される粗い空気層により、発泡樹脂等の断熱材を用いなくても十分な断熱効果及び遮音効果を得ることができる。
【００２８】
さらに、天然杉（天然木材）の香りセドロールは、交感神経を抑制することにより、血圧，心拍数及び呼吸数を低下させ、体をリラックスさせる効果があると言われているが、本実施例に係る住宅建築工法によれば、一定量以上の天然杉が用いられるため、このリラックス効果を十分に得ることができる。しかも、筋交い等の骨組部材が不要となり、施工の容易化，作業工数及び施工コストの低減、更には荷重に対する十分な強度を容易に確保できるとともに、合成接着剤等を用いることなく施工可能になり、シックハウス症候群等の原因になる有害な化学物質の浮遊を回避できる。
【００２９】
加えて、外装面４と中核壁面Ｗｍ間には、外気Ａｏが流通する外側通気路１２を設けるとともに、中核壁面Ｗｍの内側に内装面１３を施工し、この内装面１３と中核壁面Ｗｍ間に、室内空気Ａｉが流通する内側通気路１４を設けたため、結露やカビの発生をより効果的に回避できる。
【００３０】
次に、本実施例に係る住宅建築工法による屋根Ｒの施工方法について、図１，図２及び図４を参照して説明する。
【００３１】
屋根Ｒを施行するに際しては、まず、下側野地板６ｄ…を施工する。下側野地板６ｄ…は、図４に示す厚質板材Ｂ…を使用する。この場合、右端部及び左端部に位置する厚質板材Ｂ…に、長端辺に段差部Ｂｓ…を形成していない厚質板材Ｂ…を用いるとともに、中間部に、一対の長端辺の双方に段差部Ｂｓ…，Ｂｓ…を形成した厚質板材Ｂ…を用いる。このように、下側野地板６ｄ…の構成は、前述した中核壁面Ｗｍと基本的に同じになる。
【００３２】
さらに、下側野地板６ｄ…の上面であって、厚質板材Ｂ…の方向に対して直交する方向に、複数の垂木７…を一定間隔おきに設置する。この場合、垂木７…は、図４に示す横仕切材２１…と同一材を用いることができる。また、横仕切材２１…の上には、上側野地板６ｕ…を施工する。上側野地板６ｕ…は、厚さが１２〔ｍｍ〕の木材を使用する。上側野地板６ｕ…としては、天然杉を用いることが望ましいが、必ずしも天然杉であることを要しない。このような屋根Ｒの構造により、上側野地板６ｕ…と下側野地板６ｄ…間には、外気Ａｏ…が流通する上側通気路１５が形成されるため、結露やカビの発生をより効果的に回避できる。なお、図２中、３６は、下側野地板６ｄ…に形成した通気孔であり、この通気孔３６を介して外側通気孔１２と上側通気路１５が連通する。
【００３３】
以上、実施例について詳細に説明したが、本発明は、このような実施例に限定されるものではなく、細部の構成，形状，素材，数量，数値等において、本発明の要旨を逸脱しない範囲で、任意に変更，追加，削除することができる。例えば、実施例は、平屋形式の住宅を示したが、二階建形式の住宅の場合にも同様に施工することができる。この場合、二階部分の下方に位置する梁が一階部分の土台２に相当するため、二階部分であっても上述した実施例の壁Ｗと同様に施工することができる。また、厚質板材Ｂの厚さＬｔは、実施例で挙げた３０〔ｍｍ〕が最適であるが、略２〜４〔ｃｍ〕に選定しても良好な結果を得ることができる。
【図面の簡単な説明】
【００３４】
【図１】本発明の好適な実施例に係る住宅建築工法により建造した中核壁面及び屋根の一部を示す斜視図、
【図２】同住宅建築工法により施工した壁及び屋根の縦断面図、
【図３】図２中Ｘ−Ｘ線断面図、
【図４】同住宅建築工法に用いる主要材料の斜視図、
【符号の説明】
【００３５】
２    土台（下方に位置する梁を含む）
２ｓ  嵌合溝
３    梁
３ｓ  嵌合溝
４    外装面
６ｕ  上側野地板
６ｄ  下側野地板
７    垂木
１１  間柱
１２  外側通気路
１３  内装面
１４  内側通気路
１５  上側通気路
Ｗ    壁
Ｗｍ  中核壁面
Ｌｔ  厚質板材の厚さ
Ｂ    厚質板材
Ｒ    屋根
【図１】
2005083164.tif 000003
【図２】
2005083164.tif 000004
【図３】
2005083164.tif 000005
【図４】
2005083164.tif 000006